(57)【要約】      （修正有）【課題】主スコアの破断を確実にし得る部分開口用の易開封性缶蓋を提供する。【解決手段】タブの先端部によって開口予定領域を押圧することによりスコアを初期破断部から終端４Ｆに向けて連続的に破断し、破断した開口片をヒンジ部８にて屈曲させて缶内に折り込む構成で、スコアはタブによって破断される主スコア４１と主スコア４１の内側に形成される補助スコア４２とを備えた二重構造で、補助スコア４２は主スコア４１より浅くタブによっては破断されない構造の易開封性缶蓋において、主スコア４１の終端部に隣接する補助スコア４２の終端部４２ｂの残厚ｔ３を所定長さだけ終端部４２ｂ手前までの本体部４２ａの残厚ｔ２よりも厚くしたことを特徴とする。【選択図】  図１
2006056550.tif 000002
【特許請求の範囲】
【請求項１】
缶蓋本体を部分的に開口する開口予定領域をヒンジ部を残して縁取るスコアと、前記缶蓋本体の開口予定領域外であってスコア近傍に固定され先端部が前記ヒンジ部に隣接するスコアの初期破断部を越えて開口予定領域内に延びるタブとを備え、該タブの先端部によって開口予定領域を押圧することによりスコアを初期破断部から終端に向けて連続的に破断し、破断した開口片をヒンジ部にて屈曲させて缶内に折り込む構成で、
前記スコアは、タブによって破断される主スコアと該主スコアの内側に形成される補助スコアとを備えた二重構造で、前記補助スコアは主スコアより浅くタブによっては破断されない構造の易開封性缶蓋において、
前記補助スコアの終端部の残厚を所定長さだけ終端部手前までの本体部の残厚よりも厚くしたことを特徴とする易開封性缶蓋。
【請求項２】
補助スコアの終端部と主スコアの残厚の段差を８０〜１２０μｍとしたことを特徴とする請求項１に記載の易開封性缶蓋。
【請求項３】
補助スコアの終端部の長さを３〜６ｍｍの範囲に設定したことを特徴とする請求項１または２に記載の易開封性缶蓋。
【請求項４】
缶蓋本体を部分的に開口する開口予定領域をヒンジ部を残して縁取るスコアと、前記缶蓋本体の開口予定領域外であってスコア近傍に固定され先端部が前記ヒンジ部に隣接するスコアの初期破断部を越えて開口予定領域内に延びるタブとを備え、該タブの先端部によって開口予定領域を押圧することによりスコアを初期破断部から終端に向けて連続的に破断し、破断した開口片をヒンジ部にて屈曲させて缶内に折り込む構成で、
前記スコアは、タブによって破断される主スコアと該主スコアの内側に形成される補助スコアとを備えた二重構造で、前記補助スコアは主スコアより浅くタブによっては破断されない構造の易開封性缶蓋において、
前記主スコアの終端部に隣接する補助スコアの対応部位を所定長さだけスコア無し領域としたことを特徴とする易開封性缶蓋。
【請求項５】
スコアの終端部の位置がタブの側縁より所定距離離れている請求項１乃至４のいずれかの項に記載の易開封性缶蓋。
【発明の詳細な説明】
【技術分野】
【０００１】
本発明は、ステイオンタブ方式の易開封性缶蓋に関する。
【背景技術】
【０００２】
従来のステイオンタブ方式の易開封性缶蓋としては、たとえば特許文献１，２に記載されるようなものが知られている。すなわち、缶蓋本体を部分的に開口する開口予定領域をヒンジ部を残して縁取るスコアと、缶蓋本体の開口予定領域外であってスコア近傍に固定され先端部がヒンジ部に隣接するスコアの初期破断部を越えて開口予定領域内に延びるタブとを備え、タブの先端部によって開口予定領域を押圧することによりスコアを初期破断部から終端に向けて連続的に破断して開口部を形成し、破断した開口片をヒンジ部にて屈曲させて缶内に折り込む構成となっている。
スコアは、タブによって破断される主スコアと、主スコアの内側に設けられ補助スコアとを備えた２重構造となっている。補助スコアは主スコア加工時の割れを防止するために設けられるもので、主スコアより浅くタブによっては破断されない構成となっている。
【０００３】
このような易開封性缶蓋の場合、従来から開口予定領域に補強ビード等を設けて面剛性を高め、タブによる押圧力を主スコアの破断に集中させるようになっているが、主スコアの破断が進行して破断先端部(破断部分の先端)が終端に近づくと、開口片を支える部分が短くなるので開口片の撓みが大きくなり、主スコアに作用する力が低下し、終端部が開口しづらいという問題がある。
【０００４】
タブの幅が開口予定領域の幅と同程度の場合は、主スコアの終端部はタブによって強制的に破断されるが、内容物を取り出しやすいように開口予定領域の幅をタブの幅より大きくした広口タイプのものでは、主スコアの終端部がタブの側縁から所定距離離れているために、主スコアの終端まで破断しないうちに開口片が折り込まれてしまう場合がある。その結果、開口片の折込角度が小さくなり、開口部を広口にしたにもかかわらず、開口片が邪魔になって通路断面を十分に確保できなくなるという問題が生じる。
【０００５】
そこで、スコアの終端部をタブに近づけてヒンジ部の幅を狭くすることが考えられるが、そうすると、ヒンジ部の強度が低下するので、ブローアップが生じた際にヒンジ部がちぎれるおそれがあり、容易に近づけることができない。
このスコア終端部における破断について鋭意研究した結果、主スコアの終端部が破断する前に補助スコアの終端部が屈曲してしまい、主スコアに力が集中していないことが判明した。
【特許文献１】特開平１０−２４５０３２号公報
【特許文献２】特開平８−１６４９３５号公報
【発明の開示】
【発明が解決しようとする課題】
【０００６】
本発明は上記した従来技術の課題を解決するためになされたもので、その目的とするところは、終端部における補助スコアの折れ曲がりを可及的に小さくすることにより、タブの押圧力を主スコアの終端部に集中させて主スコアの破断を確実にし得る易開封性缶蓋を提供することにある。
【課題を解決するための手段】
【０００７】
上記目的を達成するために、請求項１に係る発明は、缶蓋本体を部分的に開口する開口予定領域をヒンジ部を残して縁取るスコアと、缶蓋本体の開口予定領域外であってスコア近傍に固定され先端部が前記ヒンジ部に隣接するスコアの初期破断部を越えて開口予定領域内に延びるタブとを備え、タブの先端部によって開口予定領域を押圧することによりスコアを初期破断部から終端に向けて連続的に破断し、破断した開口片をヒンジ部にて屈曲させて缶内に折り込む構成で、前記スコアはタブによって破断される主スコアと該主スコアの内側に形成される補助スコアとを備えた二重構造で、補助スコアは主スコアより浅くタブによっては破断されない構造の易開封性缶蓋において、主スコアの終端部に隣接する補助スコアの終端部の残厚を所定長さだけ終端部手前までの本体部の残厚よりも厚くしたことを特徴とする。
【０００８】
請求項２に係る発明は、補助スコアの終端部と主スコアの残厚間の段差を８０〜１２０μｍとしたことを特徴とする。
【０００９】
請求項３に係る発明は、補助スコアの終端部の長さを３〜６ｍｍ程度に設定したことを特徴とする。
【００１０】
請求項４に係る発明は、缶蓋本体を部分的に開口する開口予定領域をヒンジ部を残して縁取るスコアと、缶蓋本体の開口予定領域外であってスコア近傍に固定され先端部が前記ヒンジ部に隣接するスコアの初期破断部を越えて開口予定領域内に延びるタブとを備え、該タブの先端部によって開口予定領域を押圧することによりスコアを初期破断部から終端に向けて連続的に破断し、破断した開口片をヒンジ部にて屈曲させて缶内に折り込む構成で、スコアはタブによって破断される主スコアと該主スコアの内側に形成される補助スコアとを備えた二重構造で、前記補助スコアは主スコアより浅くタブによっては破断されない構造の易開封性缶蓋において、主スコアの終端部に隣接する補助スコアの対応部位を所定長さだけスコア無し領域としたことを特徴とする。
【００１１】
請求項５に係る発明は、スコアの終端部の位置がタブの側縁より所定距離離れていることを特徴とする。
【発明の効果】
【００１２】
請求項１に係る発明によれば、補助スコアの終端部の残厚を所定長さだけ本体部の残厚よりも厚くしたので、主スコアの破断部が終端近くになっても、補助スコアの終端部の剛性が大きいので補助スコアの屈曲が小さく、タブによる押圧力を効率的に主スコア終端部に伝達することができ、スムースに破断することができる。
【００１３】
請求項２に係る発明のように、補助スコアの終端部と主スコアの残厚間の段差が８０〜１２０μｍあれば、主スコアの終端部をスムースに破断することができ、加工時の割れの問題も生じない。
【００１４】
請求項３に係る発明のように、終端部の長さが３〜６ｍｍ程度までであれば割れの問題は生じない。
【００１５】
請求項４に係る発明によれば、補助スコアの終端部をスコア無し領域としたので、補助スコアの終端部の剛性がより高くなり、主スコアの終端部に押圧力を集中させることができ、よりスムースに破断することができる。
【００１６】
請求項５に係る発明にように、スコアの終端部の位置がタブの側縁より所定距離離れた広口タイプの開口予定領域であっても、主スコアの終端部をよりスムースに破断することができる。
【発明を実施するための最良の形態】
【００１７】
以下に本発明を図示の実施の形態に基づいて説明する。
図１及び図２は、本発明の実施の形態に係る易開封性缶蓋を示している。
まず、図２を参照して缶蓋の全体構成について説明する。図に示すように、この易開封性缶蓋１は部分開口用の缶蓋で、缶蓋本体２を部分的に開口する開口予定領域３をヒンジ部８を残して縁取るスコア４と、缶蓋本体２の開口予定領域外であってスコア４近傍に固定され先端部５１がヒンジ部８に隣接するスコア４の初期破断部４Ａを越えて開口予定領域３内に延びるタブ５とを備え、タブの先端部５１によって開口予定領域３を押圧することによりスコア４を初期破断部４Ａからスコア終端４Ｆに向けて連続的に破断し、破断した開口片(不図示)をヒンジ部８にて屈曲させて缶内に折り込む構成となっている。
【００１８】
缶蓋本体２は、円板状のパネル部２１と、このパネル部２１の周縁から立ち上がる周壁部２２と、この周壁部２２から外側に向かって延びて不図示の缶本体に巻き締められる巻締めカール部２３と、を備えた構成となっている。  缶蓋本体２のパネル部２１には、スコア３とタブ５を取り囲むように段差２５が設けられている。
【００１９】
タブ５は、パネル部２１に突設されたリベット部２４によって缶蓋本体２に固定される固定部５２と、固定部５２から開口予定領域３内に延びる先端部５１と、先端部５１と反対側に延びる摘み部５３とを有する構成となっている。缶蓋本体２の中心と開口予定領域３の中心を通る線を基準線Ｎとすると、リベット部２４が基準線Ｎ上（図示例では缶蓋本体２の中心）に位置し、先端部５１および摘み部５３は基準線Ｎに沿って配置されている。摘み部５３はリング状で中心が基準線Ｎ上に位置する指掛け孔５３ａが設けられ、先端部５１は基準線Ｎ上に曲率中心を有する円弧形状に成形されている。
【００２０】
スコア４はヒンジ部８の部分が開いた略ハート形状で、リベット部２４近傍の初期破断部４Ａと、基準線Ｎに対して左右一方側（図示例では右側）に位置する第１円弧部４Ｂと、基準線Ｎに対して他方側に位置する第２円弧部４Ｃとを備えている。初期破断部４Ａは基準線Ｎを横切るように形成され、開口予定領域３の中心側に歪んだ形状となっている。初期破断部４Ａと基準線Ｎ方向に対向する第１円弧部４Ｂと第２円弧部４Ｃの接続部４Ｄは円弧状に連続している。
【００２１】
ヒンジ部８は、初期破断部４Ａと第２円弧部４Ｃの間に位置し、スコア４は初期破断部４Ａから時計回り方向に、第１円弧部４Ｂから第２円弧部４Ｃに破断が進行する構成で、第２円弧部４Ｃのスコア終端４Ｆは、ヒンジ部８を隔てて初期破断部４Ａの一端のスコア始端４Ｅと対向している。
スコア始端４Ｅとスコア終端４Ｆは、基準線Ｎ方向に見て同一位相に位置しており、スコア始端４Ｅとスコア終端４Ｆを結ぶ線Ｍが基準線Ｎに対して直交するようになっている。
【００２２】
開口予定領域３は広口タイプで、スコア始端４Ｅはタブ５の側縁付近まで延び、スコア終端４Ｆの位置がタブ５の側縁より所定距離離れている。スコア４の基準線Ｎと直交する方向の第１円弧部Ｂと第２円弧部４Ｃ間の最大幅Ｄ２（横幅）はタブ５の幅Ｄ３より広く、図示例ではタブ５の幅Ｄ３の２倍程度まで広げられている。スコア４の最大幅Ｄ２は基準線Ｎ方向の開口長さＤ１よりも大きくなっている。また、スコア４の第２円弧部４Ｃは、基準線Ｎと直交方向の頂点部４Ｃ１からスコア終端４Ｆに向けて徐々に基準線Ｎに近づく方向に傾斜して延びている。
【００２３】
スコア４は、タブ５によって破断される主スコア４１と主スコア４１の内側に所定間隔ｈでもって並行して形成される補助スコア４２とを備えた二重構造で、不連続部８を隔てて対向するスコア始端４Ｅとスコア終端４Ｆにおいて主スコア４１と補助スコア４２が円弧状に連続的に繋がっている。補助スコア４２と主スコア４１の間隔ｈはスコア始端４Ｅからスコア終端４Ｆまで一定となっている。
【００２４】
次に、図１を参照して主スコア４１と補助スコア４２の残厚の関係について説明する。
主スコア４１の残厚ｔ１は破断しやすいように薄肉に設定されるが、補助スコア４２は主スコア４１加工時の割れを防止するためのもので、残厚は主スコア４１よりも厚く、タブ５によっては破断されない構成となっている。
【００２５】
補助スコア４２の残厚は、終端部４２ｂの残厚ｔ３が終端部手前までの本体部４２ａの残厚ｔ２よりも厚肉となっている。主スコア４１と補助スコア４２の残厚の段差で表現すると、補助スコア４２の終端部４２ｂと主スコア４１の段差Δｄ３は、補助スコア４２の本体部４２ａと主スコア４１間の段差Δｄ２よりも大きくなっている。
【００２６】
主スコア４１および補助スコア４２の断面形状は、たとえば左右の溝側壁が開口部から溝底に向かって徐々に幅が狭くなる逆台形状に成形される。補助スコア４２の終端部４２ｂについては、図１（Ｃ）に示すように、開口幅および側壁間の開き角度は本体部４２ａと同一とし、溝底のみを高くして残厚を大きくしてもよいし、溝底の幅および側壁間の開き角度を一定とし、開口幅を狭くしてもよい。この補助スコア４２の本体部４２ａと終端部４２ｂとの境界部４２ｃは、階段状に高くなっていてもよいし、テーパー状に高くなっていてもよい。
【００２７】
このように本発明にあっては、補助スコア４２の終端部４２ｂの残厚ｔ３が本体部４２ａの残厚ｔ２よりも厚くなっているので、終端部４２ｂは本体部４２ａよりも曲げ剛性が高く、主スコア４１の破断部が終端近くなっても、補助スコア４２の終端部４２ｂの屈曲が小さく、タブ５による押圧力を主スコア４２ａの終端部に集中させることができ、終端までスムースに破断することができる。
【００２８】
特に、本実施の形態では広口構成で、スコア終端４Ｆの位置がタブ５の側縁より所定距離離れていても、主スコア４１の終端部をよりスムースに破断することができる。したがって、ヒンジ部８を折れ線として開口片を缶内に大きく折り込むことができる。  
また、補助スコア４２ｂの残厚を厚肉に設定した部位は、終端部４２ｂのみに限定されるので、主スコア４１加工時の材料の塑性流動による影響は可及的に小さくできる。
【００２９】
加工時の割れを防止するためには、主スコア４１の加工時の塑性流動を阻止するために補助スコア４２はある程度の深さが必要で、アルミ系の缶蓋の場合には、本体部４２ａについては主スコア４１との段差Δｄ２を、５０〜７０μｍ程度、終端部４２ｂについては主スコア４１との段差Δｄ３を、８０〜１２０μｍ程度に設定することが好適である。
缶蓋本体２自体の肉厚ｔ0が０．２５ｍｍで、主スコア４１の残厚ｔ１が０．１ｍｍ（深さｄ１は０．１５ｍｍ）とすると、補助スコア４２の本体部４２ａの残厚ｔ２は０．１５〜０．１７ｍｍ程度(深さｄ２は０．１〜０．０８ｍｍ)、補助スコア４２の終端部４２ｂの残厚ｔ３は０．１８〜０．２２ｍｍ程度(深さｄ３は０．０７〜０．０３ｍｍ程度)とすることが好適である。主スコア４１と補助スコア４２間の間隔ｈは１．２ｍｍ程度である。
実験によれば、主スコア４１に対する補助スコア４２の段差を始端から終端部まで５０〜７０μｍ程度に設定した場合と比較すると、折込角度が従来は７０°程度であったのに対して、８０°以上に大きくなり、通路断面積を十分確保することができた。
【００３０】
また、残厚を大きくした補助スコア終端部４２ｂの長さＬを大きくとりすぎると主スコア４１の加工時の割れの問題が生じるので、その範囲は加工時の割れに影響を与えない範囲で、主スコア４１の終端部の破断特性を高め得る範囲に設定することが好ましい。実験によると、補助スコア終端部４２ｂの長さＬは、３〜６ｍｍ程度の範囲、４ｍｍ程度あれば十分であった。
【００３１】
他の実施の形態
上記実施の形態では補助スコアの終端部の深さｄ３を浅くして剛性を大きくしているが、図３に示すように、主スコア４１の終端部に隣接する補助スコアの対応部位を所定長さだけスコア無し領域４２ｄとしてもよい。このスコア無し領域４２ｄの長さＬ１も上記実施の形態と同様に３〜６ｍｍ程度、好ましくは４ｍｍ程度に設定することが望ましい。
【００３２】
なお、広口タイプではなく、スコア４の第１円弧部４Ｂと第２円弧部４Ｃ間の最大幅がタブの幅と同程度で、ヒンジ部８がタブ５の下に隠れるようなタイプの易開封性缶蓋についても適用可能である。
【図面の簡単な説明】
【００３３】
【図１】図１は本発明の実施の形態に係る易開封性缶蓋のスコアを示すもので、同図（Ａ）はスコアの平面図、同図（Ｂ）は同図（Ａ）のＢ部拡大図、同図（Ｃ）は同図（Ｂ）のＣ-Ｃ線拡大断面図、同図（Ｄ）は同図（Ｂ）の補助スコアの終端部に沿う拡大断面図である。
【図２】図２（Ａ）は図１のスコアが形成される易開封性缶蓋の一例を示す平面図、同図（Ｂ）は同図（Ａ）のスコアとタブの位置関係を示す平面図である。
【図３】図３（Ａ）は本発明の他の実施の形態に係る易開封性缶蓋のスコアの平面図、同図（Ｂ）は同図（Ａ）のＢ部拡大図である。
【符号の説明】
【００３４】
1 易開封性缶蓋
２  缶蓋本体
２１  パネル部、２２  周壁部、２３  巻締めカール部
２４  リベット部、２５  段差、２６  凹部
３  開口予定領域
４  スコア
４Ａ  初期破断部、４Ｂ  第１円弧部、４Ｃ  第２円弧部、４Ｄ  接続部
４Ｅ  スコア始端、４Ｆ  スコア終端、
４１  主スコア
４２  補助スコア
４２ａ  本体部、４２ｂ  終端部、４２ｃ  境界部、４２ｄ  スコア無し領域
５  タブ  
５１  先端部、５２  固定部、５３  摘み部、５３ａ  指掛け孔
８  ヒンジ部
Ｎ  基準線
Ｄ２  最大幅、Ｄ３  タブ５の幅、Ｄ１  開口長さ、ｈ  間隔
ｔ１  主スコアの残厚
ｔ３  補助スコアの終端部の残厚
ｔ２  本体部の残厚
Δｄ３  補助スコアの終端部と主スコアの段差
Δｄ２  補助スコアの本体部と主スコア間の段差
【図１】
2006056550.tif 000003
【図２】
2006056550.tif 000004
【図３】
2006056550.tif 000005